(57)【要約】【課題】  資源を産出可能な地域において、資源の開発を効率よく確実に行う。【解決手段】  プロセッサ及びメモリを備える情報処理装置１０３を含んで構成される資源開発支援システム１であって、所定の資源を産出可能な地域３００の情報である産出地域情報と、資源の産出のための作業が行われた領域の情報である作業領域情報とを記憶する産出履歴記憶部１０４１と、資源を産出可能な地域３００のうち資源の開発を行う領域を取得する開発領域取得部１０４２と、取得した領域に対して資源を開発する計画を立案する価値を示す情報である計画推奨度を、産出地域情報と、作業領域情報に基づき算出された、領域における作業の進捗を示す指標とに基づき算出する計画推奨度演算部１０５と、算出した計画推奨度を出力する計画推奨度出力部１１２とを備える。【選択図】図１
2018055524.tif 000002
【特許請求の範囲】
【請求項１】
プロセッサ及びメモリを備える情報処理装置を含んで構成される資源開発支援システムであって、
所定の資源を産出可能な地域の情報である産出地域情報と、前記資源の産出のための作業が行われた領域の情報である作業領域情報とを記憶する産出履歴記憶部と、
前記資源を産出可能な地域のうち前記資源の開発を行う領域を取得する開発領域取得部と、
前記取得した領域に対して前記資源を開発する計画を立案する価値を示す情報である計画推奨度を、前記産出地域情報と、前記作業領域情報に基づき算出された、前記領域における前記作業の進捗を示す指標とに基づき算出する計画推奨度演算部と、
前記算出した計画推奨度を出力する計画推奨度出力部と、
を備える、資源開発支援システム。
【請求項２】
前記指標は、前記作業が行われた面積に基づき算出される指標、又は、前記作業が行われた領域の密集性を示す値に基づき算出される指標を含む、請求項１に記載の資源開発支援システム。
【請求項３】
前記計画推奨度演算部は、前記計画推奨度をさらに、前記資源の産出のための作業のそれぞれが行われた時刻の情報に基づき算出する、請求項１に記載の資源開発支援システム。
【請求項４】
前記計画推奨度演算部は、前記計画推奨度をさらに、前記資源の産出のための作業により産出された前記資源の量に基づき算出する、請求項１に記載の資源開発支援システム。
【請求項５】
前記計画推奨度演算部は、前記計画推奨度をさらに、前記指標及び前記資源の量のそれぞれの相対的な重要性を示すパラメータに基づき算出する、請求項４に記載の資源開発支援システム。
【請求項６】
前記開発領域取得部は、前記資源の開発を行う領域を、前記資源を産出可能な地域における地質の情報に基づき算出する、請求項１に記載の資源開発支援システム。
【請求項７】
前記開発領域取得部は、前記資源の開発を行う領域を、前記地質の情報の種類に応じた相対的な重要性を示すパラメータに基づき算出する、請求項６に記載の資源開発支援システム。
【請求項８】
前記資源の開発を行う領域の指定を受け付け、指定された領域における前記作業領域情報である開発予定領域情報を取得する開発予定領域情報取得部と、
他の前記領域を取得し、取得した前記他の領域における前記作業領域情報である参照領域情報を取得する参照領域情報取得部と、
前記取得した開発予定領域情報に基づき算出した前記指標と、前記取得した参照領域情報に基づき算出した前記指標との間の類似性に基づき、前記指定された領域のうち前記作業を行う位置を算出する開発推奨位置演算部と、
前記算出した作業の位置を出力する開発推奨位置出力部と、
をさらに備える、請求項１に記載の資源開発支援システム。
【請求項９】
前記資源の開発を行う領域の指定を受け付け、指定された領域における前記作業領域情報である開発予定領域情報を取得する開発予定領域情報取得部と、
他の前記領域を取得し、取得した前記他の領域における前記作業領域情報である参照領域情報を取得する参照領域情報取得部と、
前記取得した開発予定領域情報に基づき算出した前記指標と、前記取得した参照領域情報に基づき算出した前記指標との間の類似性に基づき、前記指定された領域のうち前記作業を行う位置を算出する開発推奨位置演算部と、
前記算出した作業の位置を出力する開発推奨位置出力部とをさらに備え、
前記指標は、前記作業が行われた面積に基づき算出される指標、又は、前記作業が行われた領域の密集性を示す値に基づき算出される指標を含み、
前記計画推奨度演算部は、前記計画推奨度をさらに、前記資源の産出のための作業のそれぞれが行われた時刻の情報、前記資源の産出のための作業により産出された前記資源の量、及び、前記指標及び前記資源の量のそれぞれの相対的な重要性を示すパラメータに基づき算出し、
前記開発領域取得部は、前記資源の開発を行う領域を、前記資源を産出可能な地域における地質の情報、及び、前記地質の情報の種類に応じた相対的な重要性を示すパラメータに基づき算出する、
請求項１に記載の資源開発支援システム。
【請求項１０】
資源開発支援方法であって、
プロセッサ及びメモリを備える情報処理装置が、
所定の資源を産出可能な地域の情報である産出地域情報と、前記資源の産出のための作業が行われた領域の情報である作業領域情報とを記憶し、
前記資源を産出可能な地域のうち前記資源の開発を行う領域を取得し、
前記取得した領域に対して前記資源を開発する計画を立案する価値を示す情報である計画推奨度を、前記産出地域情報と、前記作業領域情報に基づき算出された、前記領域における前記作業の進捗を示す指標とに基づき算出し、
前記算出した計画推奨度を出力する、
資源開発支援方法。
【請求項１１】
前記指標は、前記作業が行われた面積に基づき算出される指標、又は、前記作業が行われた領域の密集性を示す値に基づき算出される指標を含む、請求項１０に記載の資源開発支援方法。
【請求項１２】
前記資源の開発を行う領域の指定を受け付け、指定された領域における前記作業領域情報である開発予定領域情報を取得する開発予定領域情報取得部と、
他の前記領域を取得し、取得した前記他の領域における前記作業領域情報である参照領域情報を取得し、
前記取得した開発予定領域情報に基づき算出した前記指標と、前記取得した参照領域情報に基づき算出した前記指標との間の類似性に基づき、前記指定された領域のうち前記作業を行う位置を算出し、
前記算出した作業の位置を出力する、
請求項１０に記載の資源開発支援方法。
【請求項１３】
プロセッサ及びメモリを備える情報処理装置に、
所定の資源を産出可能な地域の情報である産出地域情報と、前記資源の産出のための作業が行われた領域の情報である作業領域情報とを記憶する産出履歴記憶処理と、
前記資源を産出可能な地域のうち前記資源の開発を行う領域を取得する開発領域取得処理と、
前記取得した領域に対して前記資源を開発する計画を立案する価値を示す情報である計画推奨度を、前記産出地域情報と、前記作業領域情報に基づき算出された、前記領域における前記作業の進捗を示す指標とに基づき算出する計画推奨度演算処理と、
前記算出した計画推奨度を出力する計画推奨度出力処理と、
を実行させる、資源開発支援プログラム。
【請求項１４】
前記指標は、前記作業が行われた面積に基づき算出される指標、又は、前記作業が行われた領域の密集性を示す値に基づき算出される指標を含む、請求項１３に記載の資源開発支援プログラム。
【請求項１５】
前記資源の開発を行う領域の指定を受け付け、指定された領域における前記作業領域情報である開発予定領域情報を取得する開発予定領域情報取得処理と、
他の前記領域を取得し、取得した前記他の領域における前記作業領域情報である参照領域情報を取得する参照領域情報取得処理と、
前記取得した開発予定領域情報に基づき算出した前記指標と、前記取得した参照領域情報に基づき算出した前記指標との間の類似性に基づき、前記指定された領域のうち前記作業を行う位置を算出する開発推奨位置演算処理と、
前記算出した作業の位置を出力する開発推奨位置出力処理と、
をさらに実行させる、請求項１３に記載の資源開発支援プログラム。
【発明の詳細な説明】
【技術分野】
【０００１】
本発明は、資源開発支援システム、資源開発支援方法、及び資源開発支援プログラムに関する。
【背景技術】
【０００２】
坑井におけるガスや石油といった天然資源の開発に関して、特許文献１には、「複数の既存の坑井を備える成熟ガス産地または成熟石油産地の生産を向上させる」ために、「既存の坑井の生産パラメータと、場合によっては１つ以上の新たな坑井の位置および生産パラメータとを含むデータの集合である所定のシナリオに応じて産地の生産を予測可能な産地シミュレータを設けることと、産地シミュレータを用いて既存の坑井の排油エリアを決定することと、新たな坑井の候補の前記産地シミュレータを用いて決定される排油エリアが前記既存の坑井の排油エリアと重ならないように、前記新たな坑井の候補の位置を決定することと、それぞれが既存の坑井と、新たな坑井の候補から選択された新たな坑井とを含む複数の坑井集合から、産地の生産に依存する利得関数の値を最適化する坑井集合を決定することにより、利得関数の値を最適化することと、を含む方法」が開示されている。
【先行技術文献】
【特許文献】
【０００３】
【特許文献１】特表２０１３−５２８７３１号公報
【発明の概要】
【発明が解決しようとする課題】
【０００４】
石油産地はその自然的性質上、空間的広がりを持って分布しており、相互に隣接する土地では類似した地質特性を有することが多いため、このような情報を知ることは石油開発にとって有用である。しかしながら、このような石油産地は、経済活動上は通常小規模な開発区画に分割され、各開発区画が当該開発区画の所有者および契約者によって開発される。各開発区画で実施された地質調査データや操業における生産パラメータの一部または全部は、当該開発区画の開発担当者以外には秘匿されることが少なくない。
【０００５】
特許文献１は、ある開発区画の坑井配置および生産パラメータについて、当該開発区画坑井からの期待産出量に基づく利得関数を評価基準として、当該開発区画における複数の開発計画を比較評価する方法を開示している。しかし、特許文献１には、地質調査データや生産パラメータの一部または全部が公開されていない場合に、当該開発区画の開発計画を近隣の他の開発区画の開発計画と比較評価する方法は開示されていない。近隣の他の開発区画の地質調査データや生産パラメータ等の情報が入手できない場合においても、当該開発区画に対し産出量や開発コスト、安全性の面でより良い開発計画を立案することが望まれている。
【０００６】
本発明はこのような現状に基づきなされたものであり、資源を産出可能な地域において、資源の開発を効率よく確実に行うことが可能な、資源開発支援システム、資源開発支援方法、及び資源開発支援プログラムを提供することにある。
【課題を解決するための手段】
【０００７】
上記課題を解決するための本発明の一つは、プロセッサ及びメモリを備える情報処理装置を含んで構成される資源開発支援システムであって、所定の資源を産出可能な地域の情報である産出地域情報と、前記資源の産出のための作業が行われた領域の情報である作業領域情報とを記憶する産出履歴記憶部と、前記資源を産出可能な地域のうち前記資源の開
発を行う領域を取得する開発領域取得部と、前記取得した領域に対して前記資源を開発する計画を立案する価値を示す情報である計画推奨度を、前記産出地域情報と、前記作業領域情報に基づき算出された、前記領域における前記作業の進捗を示す指標とに基づき算出する計画推奨度演算部と、前記算出した計画推奨度を出力する計画推奨度出力部と、を備える。
【発明の効果】
【０００８】
本発明によれば、資源を産出可能な地域において、資源の開発を効率よく確実に行うことができる。
【図面の簡単な説明】
【０００９】
【図１】図１は、実施例１に係る資源開発支援システム１の構成の一例を示す図である。
【図２】図２は、資源開発支援装置１０３が備えるハードウェア構成の一例を説明する図である。
【図３】図３は、開発推移サマリ１０７が記憶するデータを説明するための、産出地域における各開発区画における地下の坑井及び軌道を上方から見た平面透視図である。
【図４】図４は、開発推移サマリ１０７の一例を示す図である。
【図５】図５は、坑井エリアを説明するための、産出地域における各開発区画における地下の坑井及び軌道を上方から見た平面透視図である。
【図６】図６は、利用済みエリアを説明するための、産出地域における各開発区画における地下の坑井及び軌道を上方から見た平面透視図である。
【図７】図７は、区画情報１０８の一例を示す図である。
【図８】図８は、計画推奨度情報１０９の一例を示す図である。
【図９】図９は、オペレータ入力情報１１０の一例を説明する図である。
【図１０】図１０は、資源開発支援処理を説明するフローチャートである。
【図１１】図１１は、コマンド待ち画面の一例を示す図である。
【図１２】図１２は、パラメータ設定画面の一例を示す図である。
【図１３】図１３は、結果表示画面の一例を示す図である。
【図１４】図１４は、開発推移サマリ表示画面の一例を示す図である。
【図１５】図１５は、計画推奨度算出処理の一例を説明するフローチャートである。
【図１６】図１６は、実施例２に係る開発推移サマリ１０７の一例を示す図である。
【図１７】図１７は、実施例２に係るコマンド待ち画面の一例を示す図である。
【図１８】図１８は、推奨重み設定画面の一例を示す図である。
【図１９】図１９は、実施例３に係る区画情報１０８の一例を示す図である。
【図２０】図２０は、実施例３に係るパラメータ設定画面の一例を示す図である。
【図２１】図２１は、実施例４に係る資源開発支援システム１の構成の一例を示す図である。
【図２２】図２２は、追加オペレータ入力情報２００２の一例を示す図である。
【図２３】図２３は、実施例４に係る資源開発支援処理の一例を説明するフローチャートである。
【図２４】図２４は、実施例４に係る資源開発支援処理の一例を説明するフローチャートである。
【図２５】図２５は、手本選択画面の一例を示す図である。
【図２６】図２６は、追加オペレータ入力画面の一例を示す図である。
【図２７】図２７は、新規坑井推奨位置表示画面の一例を示す図である。
【図２８】図２８は、開発推奨位置算出処理の一例を説明するフローチャートである。
【発明を実施するための形態】
【００１０】
本発明を実施するための形態につき、以下図面を用いて説明する。
＜＜実施例１＞＞
＜システム構成＞
図１は、実施例１に係る資源開発支援システム１の構成の一例を示す図である。同図に示すように、資源開発支援システム１は、データプロバイダ１０１、資源開発支援装置１０３、及び端末装置１１１を含んで構成されている。
【００１１】
資源開発支援装置１０３は、情報処理装置（コンピュータ）であり、石油、石炭、鉱石、天然ガス等の資源（天然資源）を産出可能な地域（以下、産出地域という）における当該資源の開発計画（以下、開発計画という）に関する情報を提示する装置である。なお、本実施例では、当該資源は石油であるものとする。
【００１２】
産出地域は、複数の区画（以下、開発区画という）に分割されており、分割されたそれぞれの産出地域に対して、開発計画が立案される。
【００１３】
一般に、資源開発において、当事者が資源開発の今後の開発計画を立てようとしている場合、他の開発区画（例えば、近隣の他の開発区画）では、当該当事者の開発計画と類似する開発計画をすでに実行している場合がある。そのような開発計画は、資源開発の作業が行われる領域の特徴、資源の産出量、作業に関する費用、作業の安全性などの要素に基づき、その実績が積み重ねられ、一定の評価（評判ないし人気）が得られる。このような観点から、以下に説明する資源開発支援システム１は、当該当事者がこれまでに立てた（又はこれから立てようとしている）開発計画における上記要素と、他の開発区画で行われている開発計画における上記要素とを比較することで、適切な開発計画を当事者に提案する。
【００１４】
次に、資源開発支援システム１における各装置のハードウェア構成、及び各装置が備える機能について説明する。
【００１５】
図２は、資源開発支援装置１０３が備えるハードウェア構成の一例を説明する図である。同図に示すように、資源開発支援装置１０３は、プロセッサ２０１、ＲＡＭ（Random Access Memory）、ＲＯＭ（Read Only Memory）、又はＮＶＲＡＭ（Non-Volatile RAM）等のメモリ２０２、インタフェース２０３、ＮＩＣ（Network Interface Card）等のネットワークインタフェース２０４、キーボード２０５、モニタ（ディスプレイ）等からなる出力装置２０６、マウス２０７、及びハードディスク２０８を備える。
【００１６】
プロセッサ２０１は中央処理装置（CPU: Central Processing Unit）であり、メモリ２０２に記録されている、またはあらかじめハードディスク２０８からメモリ２０２に転送されたプログラムを実行する。
【００１７】
メモリ２０２はプログラムやデータを一時的に記録する。インタフェース２０３は他の装置と接続するための装置である。ネットワークインタフェース２０４は他の情報処理装置と通信する。キーボード２０５は情報処理の指令やデータの入力を受け付ける装置である。出力装置２０６は処理結果等を表示するための装置である。マウス２０７は出力装置２０６に表示されるポインタを動かし、又は、ユーザ（資源開発支援装置１０３のオペレータ、管理者、開発者等）による出力装置２０６上の任意の場所におけるボタンの押し下げにより、何らかの処理又は情報をプロセッサ２０１に伝える装置である。なお、マウス２０７は、一般のタッチパネルによって代替することもできる。この場合、通常ポインタは不要となる。ハードディスク２０８はプログラム及びデータを格納する装置であり、例えば、磁気ディスクや不揮発性メモリ等によって構成することができる。この場合、ハードディスク２０８に格納されたプログラム及びデータは、ハードディスク２０８の電源が
ＯＦＦとなった後にＯＮになった場合でも、通常保持される。なお、ハードディスク２０８には、予めオペレーティングシステム（ＯＳ: Operating System）が導入されていてもよい。このようにすることで、ファイル名を用いてプログラムを指定することなどができるようになる。ここで、ＯＳとは、計算機の基本ソフトウェアのことであり、一般に広く知られたＯＳを用いることができる。
【００１８】
図１に示すように、資源開発支援装置１０３は、情報処理装置（コンピュータ）である端末装置１１１と通信可能に接続している。
【００１９】
端末装置１１１は、資源開発支援装置１０３のユーザが操作する情報処理装置（コンピュータ）である。端末装置１１１は、資源開発支援装置１０３と同様のハードウェア構成を備える（不図示）。端末装置１１１は、資源開発支援装置１０３のユーザからの入力であるオペレータ入力情報１１０をデータベース１０６に保存する。また、端末装置１１１は、データベース１０６に保持されている計画推奨度情報１０９を画面に表示し、ユーザに提示する。
【００２０】
データプロバイダ１０１は、掘削会社やコンサルタント、行政組織等によって管理されている、油井やガス井等の坑井の位置や形状、産出物、開発区画の位置、形状、又は地質・地層等に関する情報（以下、これらの情報を開発情報という）を記憶している情報処理装置（コンピュータ）である。データプロバイダ１０１は、資源開発支援装置１０３と同様のハードウェア構成を備える（不図示）。
【００２１】
データプロバイダ１０１、及び資源開発支援装置１０３の間は、例えばＬＡＮ（Local Area Network）、ＷＡＮ（Wide Area Network）、インターネット、専用線などの、有線
又は無線の通信網である１つ又は複数の通信ネットワーク１０２によって、通信可能に接続されている。
【００２２】
次に、図１に示すように、データプロバイダ１０１は、産出履歴記憶部１０４１の機能を備える。
【００２３】
産出履歴記憶部１０４１は、所定の資源を産出可能な地域（産出地域）の情報である産出地域情報と、前記資源の産出のための作業が行われた領域の情報である作業領域情報とを記憶する。
【００２４】
次に、資源開発支援装置１０３は、データ読込部１０４、開発領域取得部１０４２、及び計画推奨度演算部１０５の各機能を備える。
【００２５】
また、資源開発支援装置１０３は、データベース１０６を管理している。データベース１０６は、開発推移サマリ１０７、区画情報１０８、計画推奨度情報１０９、及びオペレータ入力情報１１０の各データベースを含んで構成されている。ここで、開発推移サマリ１０７は、産出地域の開発区画ごとにその開発推移を記憶したデータベースである。区画情報１０８は、産出地域における各開発区画の領域又は位置を記憶したデータベースである。計画推奨度情報１０９は、産出地域の各開発計画に対する計画推奨度（後述）を含むデータベースである。オペレータ入力情報１１０は、ユーザから入力された情報を含む。
【００２６】
データ読込部１０４は、データプロバイダ１０１が記憶している開発情報や、他の装置が記憶している開発情報を取得し、取得したこれらの開発情報を、データベース１０６における、開発推移サマリ１０７又は区画情報１０８に記憶する。
【００２７】
開発領域取得部１０４２は、前記資源を産出可能な地域のうち前記資源の開発を行う領
域（開発区画）を取得する。
【００２８】
計画推奨度演算部１０５は、開発領域取得部１０４２が前記取得した領域に対して前記資源を開発する計画を立案する価値を示す情報である計画推奨度を、前記産出地域情報と、前記作業領域情報に基づき算出された、前記領域における前記作業の進捗を示す指標とに基づき算出する。
【００２９】
なお、前記指標は、前記作業が行われた面積に基づき算出される指標（以下、土地利用度、又はＵＲ（Utilization Rate）という）、及び、前記作業が行われた領域の密集性を示す値（以下、坑井重複度、又はＯＲ（Overlapping Rate）という）に基づき算出される指標を含む。土地利用度、及び坑井重複度の詳細は後述する。
【００３０】
具体的には、計画推奨度演算部１０５は、開発推移サマリ１０７、区画情報１０８、及びオペレータ入力情報１１０に基づき、計画推奨度を算出し、算出した計画推奨度を計画推奨度情報１０９に格納する。
【００３１】
前記計画推奨度演算部１０５はさらに、前記計画推奨度を、前記資源の産出のための作業のそれぞれが行われた時刻の情報とに基づき算出する。
【００３２】
次に、端末装置１１１は、計画推奨度出力部１１２を備える。
計画推奨度出力部１１２は、計画推奨度演算部１０５が前記算出した計画推奨度を出力する。
【００３３】
次に、データベース１０６について説明する。
＜開発推移サマリ１０７＞
【００３４】
まず、開発推移サマリ１０７について説明する。開発推移サマリ１０７は、作業領域情報を記憶している。
図３は、開発推移サマリ１０７が記憶するデータを説明するための、産出地域における各開発区画における地下の坑井ないし軌道を上方から見た平面透視図である。同図に示すように、本実施例の産出地域である石油産地３００では、様々な業者によって、地下の坑道において各種深度で水平掘りの作業が行われており、この水平堀りにより、坑井又は軌道（以下、両者をあわせて坑井という）が掘削されている（符号３１１、符号３１２、符号３１３、符号３１４、符号３１５、符号３１６、符号３１７、符号３１８、符号３１９、符号３２０、符号３２１、符号３２２、符号３２３）。
【００３５】
具体的には、石油産地３００は、複数の開発区画（符号３０１、３０２、３０３、３０４）に分割されており、各開発区画では、それぞれの開発区画の契約当事者（開発担当者）によって、坑井の掘削作業が進められている。例えば、開発区画３０１では、現在又は過去の開発対象である開発区画３０１の開発担当者によって、坑井３１１、３１２、３１３が掘削されており、開発区画３０２では、現在又は過去の開発対象である開発区画３０２の開発担当者によって、坑井３１４、３１５が掘削されており、開発区画３０３では、現在又は過去の開発対象である開発区画３０３の開発担当者によって坑井３１６、３１７、３１８、３１９、３２０が掘削されており、開発区画３０４では、現在又は過去の開発対象である開発区画３０２の開発担当者によって坑井３２１、３２２、３２３、３２４が掘削されている。
【００３６】
開発推移サマリ１０７は、このような、各開発区画における掘削作業の進捗に関する情報を記憶している。
図４は、開発推移サマリ１０７の一例を示す図である。同図に示すように、開発推移サ
マリ１０７は、開発区画を特定する情報（以下、開発区画ＩＤという）が格納される開発区画ＩＤ６０１、開発区画ＩＤ６０１における坑井を特定する情報（以下、坑井ＩＤという）が格納される坑井ＩＤ６０２、坑井ＩＤ６０２の坑井が掘削されている期間における任意の時刻（日付）が格納される坑井掘削日付６０３、坑井掘削日付６０３が示す時刻での、開発区画ＩＤ６０１の開発区画における土地利用度（ＵＲ）が格納されるＵＲ６０４、及び、坑井掘削日付６０３が示す時刻での、開発区画ＩＤ６０１の開発区画における坑井重複度（ＯＲ）が格納されるＯＲ６０５の各項目を含む、少なくとも１つ以上のレコードから構成されている。なお、坑井掘削日付６０３には、正確な日付が不明な場合はその推定値、又は空白のデータが格納されてもよい。
【００３７】
同図の例では、開発区画ＩＤが「１」である開発区画に含まれる坑井ＩＤは、「１０１」、「１０２」、及び「３２１」である。また、坑井ＩＤが「１０１」である坑井の掘削は、「２００８年１１月１３日」に行われている。また、開発区画ＩＤが「１」である開発区画において、坑井ＩＤが「１０１」である坑井における「２００８年１１月１３日」時点でのＵＲは「０．１５」であり、開発区画ＩＤが「１」である開発区画において、坑井ＩＤが「１０２」である坑井における「２００８年１１月１３日」時点でのＵＲは、「０．２４」である。また、開発区画ＩＤが「１」である開発区画において、坑井ＩＤが「１０１」である坑井における「２００８年１１月１３日」時点でのＯＲは「１」であり、開発区画ＩＤが「１」である開発区画において、坑井ＩＤが「１０２」である坑井における「２００８年１１月１３日」時点でのＯＲは「１．３」である。
【００３８】
このように、開発推移サマリ１０７は、各開発区画における各坑井と、その坑井の掘削作業が行われた時刻（日付）と、その時刻におけるＵＲ及びＯＲとの間の関係を特定している。
【００３９】
＜土地利用度及び坑井重複度＞
ここで、土地利用度（ＵＲ）及び坑井重複度（ＯＲ）の詳細を説明する。土地利用度及び坑井重複度は、各開発区画における、所定時点（所定時刻）での資源の開発状態を示す指標である。
【００４０】
まず、土地利用度は、後述する利用済みエリアに基づき算出される。また、坑井重複度は、後述する坑井エリア、及び後述する利用済みエリアに基づき算出される。
【００４１】
ここで、図５は、坑井エリアを説明するための、産出地域における各開発区画における地下の坑井及び軌道を上方から見た平面透視図である。同図は、図３と同様の平面透視図である。
【００４２】
坑井エリアは、開発区画における坑井の面積に関するパラメータである。例えば、図５に示すように、坑井エリア４０１は、開発区画３０１において掘削作業が行われた坑井３１１に対応する領域であり、坑井３１１を地表面上に射影して得られる領域（線状の領域）の近傍の領域である。具体的には、坑井エリア４０１は、坑井３１１を地表面上に投影した線状の領域に対して、その線状の領域からの距離が所定の定数ｄ以内である地表面上の領域である。なお、坑井エリア４０１は、前記所定の定数ｄ以内である地表面上の領域を多角形や他の図形で近似した領域であってもよい。
【００４３】
ここで、坑井エリア重複和を定義する。坑井エリア重複和は、所定の開発区画における全ての坑井エリアの面積の合計値である。例えば、図５の例では、坑井エリア重複和は、坑井３１１の坑井エリアの面積と、坑井３１２の坑井エリアの面積と、坑井３１３の坑井エリアの面積との算術和である。
【００４４】
一方、図６は、利用済みエリアを説明するための、産出地域における各開発区画における地下の坑井及び軌道を上方から見た平面透視図である。同図は、図３と同様の平面図（透視図）である。
【００４５】
利用済みエリアは、所定の開発区画に含まれる全ての坑井エリアの和集合である。例えば、同図に示すように、利用済みエリア５０１は、開発区画３０１において掘削作業が行われた坑井３１１、３１２、３１３に対応する領域であり、複数の坑井３１１、３１２、３１３のそれぞれを地表面上に射影して得られる領域（線状の領域）の近傍の領域である。具体的には、利用済みエリア５０１は、坑井３１１を地表面上に投影した線状の領域に対して、その領域からの距離が所定の定数ｄ以内である地表面上の領域である。利用済みエリア５０１は、前記和集合を多角形や他の図形で近似したものであってもよい。
【００４６】
これらを前提に、まず、土地利用度（ＵＲ）は、
（利用済みエリアの面積）／（開発区画の面積）
【００４７】
により算出される。例えば、図５、６の例では、開発区画３０１において、坑井３１１、３１２、３１３が掘削された時点でのＵＲは、（利用済みエリア５０１の面積）／（開発区画３０１の面積）である。
【００４８】
一方、坑井重複度（ＯＲ）は、
（坑井エリア重複和）／（利用済みエリアの面積）
【００４９】
により算出される。例えば、図５、６の例では、開発区画３０１において、坑井３１１、３１２、３１３が掘削された時点でのＯＲは、（坑井エリア重複和）／（利用済みエリア５０１の面積）である。
【００５０】
＜区画情報１０８＞
次に、区画情報１０８について説明する。区画情報１０８は産出地域情報を記憶している。
【００５１】
図７は、区画情報１０８の一例を示す図である。同図に示すように、区画情報１０８は、開発区画ＩＤが格納される開発区画ＩＤ６０１、産出地域の地表面に設定された二次元座標系のうち第１の座標の代表的な値（以下、区間位置ｘという）が格納される区画位置ｘ７０１、及び、産出地域の地表面に設定された所定の二次元座標系のうち第２の座標の代表的な値（以下、区間位置ｙという）が格納される区画位置ｙ７０２の各項目を含む、少なくとも１つ以上のレコードから構成される。
【００５２】
例えば、区画位置ｘ７０１には、産出地域の地表面に設定された直交座標系（ｘ−ｙ座標系）における、開発区画の地表面上の重心のｘ座標が記載される。また、区画位置ｙ７０２には、産出地域の地表面に設定された直交座標系（ｘ−ｙ座標系）における、開発計画の地表面上の重心のｙ座標が格納される。
【００５３】
同図の例では、開発区画ＩＤが「１」である開発区画の区画位置ｘは「０」であり、区画位置ｙは「０」である。なお、区画位置ｘ、及び区画位置ｙはそれぞれ、開発区画の重心の緯度及び経度の値であってもよい。
【００５４】
このように、区画情報１０８は、産出領域における各開発区画の領域又は位置を、区画位置ｘ及び区画位置ｙ等により特定している。
【００５５】
＜計画推奨度情報１０９＞
次に、計画推奨度情報１０９について説明する。
【００５６】
図８は、計画推奨度情報１０９の一例を示す図である。同図に示すように、計画推奨度情報１０９は、開発区画ＩＤが格納される開発区画ＩＤ６０１、及び開発区画ＩＤ６０１の開発区画に対する計画推奨度が格納される計画推奨度８０１の各項目を含む、少なくとも１つ以上のレコードで構成される。
【００５７】
計画推奨度情報１０９は、各開発区画と、その開発区画に対する計画推奨度との間の関係を特定している。
【００５８】
＜オペレータ入力情報１１０＞
図９は、オペレータ入力情報１１０の一例を説明する図である。オペレータ入力情報１１０は、例えば、ユーザにより入力された情報である。
【００５９】
まず、オペレータ入力情報１１０は、産出地域のうち、開発計画の傾向を調査する地域（以下、調査領域という）を特定する情報を含む。
【００６０】
調査領域は、本実施例では、開発区画に基づき特定される。すなわち、オペレータ入力情報１１０は、調査領域の区画位置ｘである調査区画位置ｘ９０１、及び調査領域の区画位置ｙである調査区画位置ｙ９０２の各項目を含む情報である。なお、調査領域は複数あってもよい。
【００６１】
また、オペレータ入力情報１１０は、産出地域のうち、開発計画を立案する予定の地域（以下、開発予定領域という）を特定する情報を含む。
【００６２】
開発予定領域は、本実施例では、開発区画に基づき特定される。すなわち、オペレータ入力情報１１０は、開発予定領域の開発区画ＩＤである開発予定区画ＩＤ９０３、及び、開発予定区画ＩＤ９０３の開発予定区画における具体的な領域を特定する情報（例えば、開発予定領域の半径）である領域指定情報９０４の各項目を含む情報である。なお、開発予定区画ＩＤ９０３には、開発区画ＩＤの代わりに、区画位置ｘや区画位置ｙ（例えば、重心の座標）が格納されてもよい。また、領域指定情報９０４には、円、楕円、その他の図形を表す有限個のパラメータが格納されてもよい。なお、開発予定領域は、複数あってもよい。
【００６３】
このように、オペレータ入力情報１１０は、調査領域、及び開発予定領域を特定している。
【００６４】
以上に説明したデータプロバイダ１０１、資源開発支援装置１０３、及び端末装置１１１の各機能は、これらの装置のハードウエアによって、もしくは、これらの装置のＣＰＵが、メモリやハードディスクに格納されているプログラムを読み出して実行することにより実現される。なお、これらのプログラムは、必要に応じて、着脱可能な記憶媒体によって導入されてもよい。この場合、前記記憶媒体を読み取るための装置を、例えばインタフェース２０３に接続する。なお、このような前記記憶媒体及びそれを読み取るための装置としては、光ディスク（ＣＤ、ＤＶＤ、ブルーレイディスク等）を用いるものや、フラッシュメモリを用いるものが一般に知られており、これを用いることができる。また、プログラムは、必要に応じて、例えばネットワークインタフェース２０４によって、通信媒体（通信回線又は通信回線上の搬送波）を介して導入されてもよい。
【００６５】
＜処理＞
次に、資源開発支援システム１が行う処理について説明する。
＜資源開発支援処理＞
【００６６】
図１０は、資源開発支援システム１が行う、産出地域において資源を開発する計画を立案する価値をユーザに提示する処理（以下、資源開発支援処理という）を説明するフローチャートである。資源開発支援処理は、例えば、予め指定されたタイミングや、端末装置１１１や資源開発支援装置１０３にユーザから所定の操作入力があった場合に開始される。
【００６７】
同図に示すように、資源開発支援装置１０３は、データ読込部１０４に、データの読み込みの開始を指示する（Ｓ９０１）。具体的には、資源開発支援装置１０３のプロセッサ２０１は、ネットワークインタフェース２０４、及び資源開発支援装置１０３内の通信線を介して、データ読込部１０４にデータ読み込みの開始を指示する通信を行う。この通信は、例えば、一般のＩＰ（Internet Protocol）、ＩＰｖ６（Internet Protocol Version）等の通信プロトコルを用いて実現される（通信に関する他の処理でも同様である）。
【００６８】
データ読込部１０４は、データプロバイダ１０１から開発情報をダウンロードし、ダウンロードした開発情報を、開発推移サマリ１０７、及び区画情報１０８に保存する（Ｓ９０２）。この保存は、データベースの一般的な機能を用いて行われる。
【００６９】
データ読込部１０４は、資源開発支援装置１０３に、Ｓ９０２の処理が完了した旨を報告する（Ｓ９０３）。
【００７０】
また、資源開発支援装置１０３は、端末装置１１１に、調査領域の設定を受け付ける画面（以下、コマンド待ち画面という）の表示を指示する（Ｓ９０４）。端末装置１１１は、この指示を受信すると、端末装置１１１の画面装置に、コマンド待ち画面を表示する（Ｓ９０５）。端末装置１１１は、コマンド待ち画面による調査領域の設定を受け付ける（Ｓ９０６）。
【００７１】
ここで、コマンド待ち画面について説明する。
＜コマンド待ち画面１００１＞
【００７２】
図１１は、コマンド待ち画面の一例を示す図である。同図に示すように、コマンド待ち画面１００１は、データ再読込ボタン１００２、パラメータ設定ボタン１００３、開発計画推奨ボタン１００４の各入力欄を備えると共に、出力欄である地図ウィンドウ１００５を有する。
【００７３】
データ再読込ボタン１００２は、開発情報の再読込みを受け付ける。データ再読込ボタン１００２が押下されると（例えば、端末装置１１１のマウス２０７でクリックがなされた場合。以下、他の入力欄においても同様）、開発推移サマリ１０７、及び区画情報１０８から開発情報が再取得される。すなわち、図１０のＳ９０１の処理が行われる。
【００７４】
パラメータ設定ボタン１００３は、調査領域の設定を受け付ける。パラメータ設定ボタン１００３が押下されると、端末装置１１１は、後述するパラメータ設定画面を出力し、調査領域の設定を受け付ける。
【００７５】
開発計画推奨ボタン１００４は、コマンド待ち画面１００１によるオペレータ入力情報１１０の入力の完了を受け付ける。開発計画推奨ボタン１００４が押下されると、資源開発支援装置１０３は、後述する図１０のＳ９０７の処理を実行することにより、計画推奨度の算出のための処理を開始する。
【００７６】
地図ウィンドウ１００５には、石油産地３００の地図が表示される。図１１の例では、地図ウィンドウ１００５の上部から右部にかけて川１００７が流れている旨が図示されている。
【００７７】
また、地図ウィンドウ１００５には、傾向調査範囲指定ポリゴン１００６が表示される。傾向調査範囲指定ポリゴン１００６は、調査範囲を示している（例えば、ボックス状の図形を示す）と共に、ユーザからの、調査地域（以下、調査範囲ともいう）の指定を受け付けている。ユーザは、端末装置１１１のマウス２０７やキーボード２０５を操作することにより、傾向調査範囲指定ポリゴン１００６の形状を変化させ、調査範囲を変更することができる。なお、地図ウィンドウ１００５は、適宜、スクロールや縮尺変更等の一般的な技術により、さまざまな種類の調査範囲を指定できるものであってもよい。
【００７８】
＜パラメータ設定画面１１０１＞
ここで、パラメータ設定ボタン１００３に基づき出力されるパラメータ設定画面について説明する。
【００７９】
図１２は、パラメータ設定画面の一例を示す図である。同図に示すように、パラメータ設定画面１１０１は、パラメータ入力ボックス１１０２、ＯＫボタン１１０３、及びＣａｎｃｅｌボタン１１０４の各入力欄を備える。
【００８０】
パラメータ入力ボックス１１０２は、傾向調査範囲指定ポリゴン１００６と同様に、調査範囲の指定を受け付ける。同図の例では、パラメータ入力ボックス１１０２は、調査範囲の中心地点のｘ座標が入力される第１入力欄１１０５、調査範囲の中心地点のｙ座標が入力される第２入力欄１１０６、調査範囲の半径が入力される第３入力欄１１０７、及び調査範囲に対応する開発区画ＩＤが入力される第４入力欄１１０８の各入力欄を有している。例えば、調査範囲の中心地点のｘ座標と、調査範囲の中心地点のｙ座標と、調査範囲の半径とが指定された場合、調査範囲は円であり、具体的には、調査範囲の中心のｘ座標が、第１入力欄１１０５で指定された中心地点のｘ座標であり、その中心のｙ座標が、第２入力欄１１０６で指定された中心地点のｙ座標であり、その半径が、第３入力欄１１０７で指定された半径である円である。調査範囲は、その他、有限個のパラメータを用いて特定できる任意の図形により指定されてもよい。
【００８１】
ＯＫボタン１１０３は、調査範囲の設定の完了を受け付ける。Ｃａｎｃｅｌボタン１１０４は、調査範囲の指定を破棄すると共に、パラメータ設定画面１１０１を閉じる指示を受け付ける。
【００８２】
図１０のＳ９０７に示すように、端末装置１１１は、調査範囲の設定の完了を受け付けると、その旨を、資源開発支援装置１０３に報告する。
【００８３】
すると、資源開発支援装置１０３は、調査範囲の情報を、オペレータ入力情報１１０に記憶する（Ｓ９０７）。そして、資源開発支援装置１０３は、計画推奨度演算部１０５に、計画推奨度の算出を指示する（Ｓ９０８）。
【００８４】
すると、計画推奨度演算部１０５は、計画推奨度を算出し、算出した計画推奨度を、計画推奨度情報１０９に記憶する処理（以下、計画推奨度算出処理という）を実行する（Ｓ９０９）。計画推奨度算出処理の詳細は後述する。
【００８５】
計画推奨度算出処理が終了すると、計画推奨度演算部１０５は、資源開発支援装置１０３に、計画推奨度算出処理の終了を報告する（Ｓ９１０）。すると、資源開発支援装置１０３は、端末装置１１１に、計画推奨度算出処理の結果の表示を指示する（Ｓ９１１）。
【００８６】
そして、端末装置１１１は、計画推奨度算出処理の結果を表示するための画面（以下、結果表示画面という）を、端末装置１１１の画面に表示する（Ｓ９１２）。以上で資源開発支援処理は終了する（Ｓ９１３）。
【００８７】
ここで、結果表示画面について説明する。
＜結果表示画面１２０１＞
図１３は、結果表示画面の一例を示す図である。同図に示すように、結果表示画面１２０１は、地域データウィンドウ１２０２、推奨度バー１２０３、及び開発推移サマリ二次元表示ウィンドウ１２０７の各表示欄を備える。また、結果表示画面１２０１は、推奨度Ｍｉｎアロー１２０４、推奨度Ｍａｘアロー１２０５、及びサマリ表示ボタン１２０６の各入力欄を備える。
【００８８】
地域データウィンドウ１２０２には、コマンド待ち画面１００１で指定された調査範囲に含まれる全ての開発区画におけるＵＲの平均値及びＯＲの平均値が表示される。ここで、開発区画におけるＵＲの平均値は、例えば、前記全ての開発区画における現在のＵＲの平均値であってもよいし、前記全ての開発区画における、所定の過去の時点から現在までの全てのＵＲの平均値であってもよい。また、開発区画におけるＯＲの平均値は、例えば、前記全ての開発区画における現在のＯＲの平均値であってもよいし、前記全ての開発区画における、過去の所定の時点から現在までの、全てのＯＲの平均値であってもよい。
【００８９】
開発推移サマリ二次元表示ウィンドウ１２０７には、調査範囲に含まれる全ての開発区画における、ＵＲ及びＯＲの値の組が、ＵＲの値の軸及びＯＲの値の軸を有する二次元のグラフにより表示される（符号１２０８）。なお、以下では、ＵＲ及びＯＲの値の組を、ＵＲ−ＯＲ組という。
【００９０】
なお、開発推移サマリ二次元表示ウィンドウ１２０７では、例えば既に１つ以上の坑井が掘削された開発区画に関しては、ＵＲ−ＯＲ組１２０８が複数表示されるが、これらの複数のＵＲ−ＯＲ組１２０８を、掘削作業の時系列等に従って、点線１２０９や実線で連結して表示するようにしてもよい。また、これらの連結した各表示に対して、計画推奨度の高さに応じた色づけがなされてもよい。
【００９１】
推奨度バー１２０３は、開発推移サマリ二次元表示ウィンドウ１２０７に表示されているＵＲ−ＯＲ組のうち、次述する開発推移サマリ表示画面に表示される、ＵＲ−ＯＲ組の選択を受け付ける。例えば、ユーザは、計画推奨度算出処理で算出された全ての計画推奨度のうち上位４０％の計画推奨度の値を有する開発区画のみを、開発推移サマリ表示画面に表示しようとする場合には、推奨度Ｍｉｎアロー１２０４を推奨度バー１２０３上の「６０％」の位置に設定し、推奨度Ｍａｘアロー１２０５を推奨度バー１２０３上の「１００％」の位置に設定する。なお、推奨度バー１２０３、推奨度Ｍｉｎアロー１２０４、及び推奨度Ｍａｘアローの代わりに、例えば、表示する開発区画の計画推奨度の最小値及び最大値の入力を受け付ける入力欄を、開発推移サマリ二次元表示ウィンドウ１２０７に設けてもよい。
【００９２】
サマリ表示ボタン１２０６は、開発推移サマリ表示画面を表示する旨の入力を受け付ける。
【００９３】
＜開発推移サマリ表示画面１３０１＞
図１４は、開発推移サマリ表示画面の一例を示す図である。同図に示すように、開発推移サマリ表示画面１３０１は、前記の開発推移サマリ二次元表示ウィンドウ１２０７に対応する表示欄である開発推移サマリ二次元表示ウィンドウ１３０４、及び開発推移サマリ
一覧１３０２の各表示欄を備える。また、開発推移サマリ表示画面１３０１は、入力欄としてＣｌｏｓｅボタン１３０３を備える。
【００９４】
開発推移サマリ一覧１３０２には、結果表示画面１２０１で表示されたＵＲ−ＯＲ組の、ＵＲ及びＯＲの値とその日付の一覧が表示される。Ｃｌｏｓｅボタン１３０３は、開発推移サマリ表示画面１３０１を閉じて結果表示画面１２０１に戻るための入力を受け付ける。
【００９５】
このように、結果表示画面１２０１、及び開発推移サマリ表示画面１３０１により、ユーザは、計画推奨度が高い開発区画（ＵＲ−ＯＲ組）を特定することで、自身の開発計画の手本とすべき、実績のある他の開発計画を発見することができる。
【００９６】
＜計画推奨度算出処理＞
次に、計画推奨度算出処理の詳細について説明する。
【００９７】
図１５は、計画推奨度算出処理の一例を説明するフローチャートである。同図に示すように、計画推奨度演算部１０５は、データベース１０６に保存されている開発推移サマリ１０７と、区画情報１０８と、オペレータ入力情報１１０とを取得する（Ｓ１４０１）。
【００９８】
そして、計画推奨度演算部１０５は、Ｓ１４０１で取得したオペレータ入力情報１１０に基づき、調査範囲内で特定の条件を満たす開発区画の集合（以下、近傍区画集合Ｓともいう）を抽出する（Ｓ１４０２）。例えば、計画推奨度演算部１０５は、調査範囲がポリゴンや円やその他の図形により指定されている場合には、区画情報１０８に記録されている各開発区画の領域が調査範囲の内部に含まれているか否かを算術演算により判定する。
【００９９】
計画推奨度演算部１０５は、近傍区画集合Ｓ内の全ての開発区画に対する、各時点での計画推奨度を算出する（Ｓ１４０３）。例えば、近傍区画集合Ｓ内の開発区画ｉにおける、ある時点（履歴）ｊでのＵＲ−ＯＲ組を（ＵＲ＿ｊ，ＯＲ＿ｊ）とした場合、計画推奨度演算部１０５は、近傍区画集合Ｓ内の開発区画ｉに対する、ある時点ｊでの計画推奨度として、（ＵＲ＿ｊ，ＯＲ＿ｊ）との二次元上の距離（例えばユークリッド距離）が所定値Ｄ以下である、ＵＲ−ＯＲ組（ＵＲ＿ｋ，ＯＲ＿ｋ）の総数を算出する。なお、計画推奨度演算部１０５は、（ＵＲ＿ｋ，ＯＲ＿ｋ）のそれぞれに対して所定の重みの値を乗算し、乗算した値の総数を、上記計画推奨度としてもよい。
【０１００】
計画推奨度演算部１０５は、Ｓ１４０３で算出した、各時点での計画推奨度に基づき、近傍区画集合Ｓ内の各開発区画に対する計画推奨度を算出する（Ｓ１４０５）。具体的には、計画推奨度演算部１０５は、Ｓ１４０３で算出した、各時点での計画推奨度（計画推奨度の履歴）の算術和を算出する。なお、計画推奨度演算部１０５は、Ｓ１４０３で算出した各計画推奨度に対して、それぞれの時点に対応する重みの値（例えば、現在に近い時点ほど値が大きくなる値）を乗算し、乗算したそれぞれの値の算術和を算出してもよい。
【０１０１】
計画推奨度演算部１０５は、このようにして算出した、各開発区画内の計画推奨度を、計画推奨度情報１０９に記憶する（Ｓ１４０５）。以上で計画推奨度算出処理は終了する（Ｓ１４０６）。
【０１０２】
以上のように、本実施例の資源開発支援システム１によれば、資源の開発を行う領域を取得し、取得した領域に対する計画推奨度を、産出地域情報と、作業領域情報により算出される所定の指標とに基づき算出し、算出した計画推奨度を出力するので、ユーザは、資源を産出しようとする領域においてその資源の開発、産出を行う価値があるか否かを的確に把握することができる。このように、本実施例の資源開発支援システムによれば、資源
を産出可能な地域において、資源の開発を効率よく確実に行うことができる。
【０１０３】
また、本実施例の資源開発支援システム１では、前記の指標は、資源の産出のための作業が行われた面積に基づき算出される指標（ＵＲ）や、その作業が行われた領域の密集性を示す値に基づき算出される指標（ＯＲ）であるので、資源開発支援システム１は、計画推奨度を、資源の開発面積や開発が集中している箇所に基づき算出することができる。これにより、ユーザは、資源を産出しようとする領域においてその資源の開発、産出を行う価値があるか否かを的確に把握することができる。
【０１０４】
また、本実施例の資源開発支援システム１は、計画推奨度を、資源の産出のための作業のそれぞれが行われた時刻の情報に基づき算出するので、資源の産出のための作業の進捗の具合に応じた計画推奨度に基づき、ユーザは、資源を産出しようとする領域においてその資源の開発、産出を行う価値があるか否かをタイムリーに把握することができる。
【０１０５】
＜＜実施例２＞＞
実施例２に係る資源開発支援システム１は、掘削作業により産出された資源の量（以下、資源量という）の情報を使用する。以下では、実施例２に係る資源開発支援システム１について、実施例１の資源開発支援システム１と異なる点についてのみ説明する。
【０１０６】
まず、本実施例の資源開発支援装置１０３は、実施例１に加えて、以下の機能を備える。
すなわち、前記計画推奨度演算部１０５は、前記計画推奨度をさらに、前記資源の産出のための作業により産出された前記資源の量とに基づき算出する。
【０１０７】
また、前記計画推奨度演算部１０５は、前記計画推奨度をさらに、前記指標及び前記資源の量のそれぞれの相対的な重要性を示すパラメータに基づき算出する。
【０１０８】
また、本実施例では、開発推移サマリ１０７は、以下の情報を記憶している。
【０１０９】
＜開発推移サマリ１０７＞
図１６は、実施例２に係る開発推移サマリ１０７の一例を示す図である。同図に示すように、本実施例における開発推移サマリ１０７は、実施例１の開発推移サマリ１０７に対して、さらに、生産量１５０１の項目が追加されている。生産量１５０１には、坑井ＩＤ６０２の坑井から産出された資源の量（資源量）が格納される。資源量は、例えば、当該坑井から産出された現在までの総生産量であってもよいし、当該坑井から産出された、所定の期間（例えば、過去１年間、又は過去３か月）における生産量であってもよい。
【０１１０】
また、本実施例では、コマンド待ち画面が実施例１と異なる。
＜コマンド待ち画面１００１＞
図１７は、実施例２に係るコマンド待ち画面の一例を示す図である。同図に示すように、本実施例に係るコマンド待ち画面１００１は、実施例１のコマンド待ち画面１００１における入力欄に加えて、推奨重み設定ボタン１６０１の入力欄を備える。
【０１１１】
推奨重み設定ボタン１６０１は、計画推奨度の計算に際して使用される所定の重みの値（以下、計画推奨度重み値という）の設定を受け付ける。推奨重み設定ボタン１６０１が押下されると、次述する推奨重み設定画面が表示され、計画推奨度重み値の指定が受け付けられる。
【０１１２】
＜推奨重み設定画面１７０１＞
図１８は、推奨重み設定画面の一例を示す図である。同図に示すように、推奨重み設定
画面１７０１は、重み入力ボックス１７０２、ＯＫボタン１７０３、及びＣａｎｃｅｌボタン１７０４の各入力欄を備える。
【０１１３】
重み入力ボックス１７０２は、ユーザから、計画推奨度重み値の入力を受け付ける。具体的には、第１入力欄１７０５には、計画推奨度重み値のうち、ＵＲ−ＯＲ組に関する計画推奨度重み値（以下、ａとも記する）が入力され、第２入力欄１７０６には、計画推奨度重み値のうち、資源量に関する計画推奨度重み値（以下、ｂとも記する）が入力される。
【０１１４】
ＯＫボタン１７０３は、計画推奨度重み値の入力の完了を受け付ける。Ｃａｎｃｅｌボタン１７０４は、入力された計画推奨度重み値を破棄し、推奨重み設定画面１７０１を閉じるための入力を受け付ける。
【０１１５】
＜計画推奨度演算処理＞
次に、本実施例に係る計画推奨度演算処理について説明する。
すなわち、本実施例に係る計画推奨度演算部１０５は、計画推奨度演算処理において、近傍区画集合Ｓに含まれる開発区画のそれぞれに対する計画推奨度を、実施例１で算出された計画推奨度と、資源量と、計画推奨度重み値とに基づいて算出する。
【０１１６】
例えば、計画推奨度演算部１０５は、図１５のＳ１４０３において、近傍区画集合Ｓに含まれる開発区画ｉに対するある時点ｊの計画推奨度Ｒ２を、
【数１】
2018055524.tif 000003
により算出する。ここで、Ｒ１は実施例と同様の計画推奨度であり、ｒ２は開発区画ｉにおける資源量である。また、ａ及びｂは、推奨重み設定画面１７０１で設定された計画推奨度重み値である。
【０１１７】
なお、Ｒ１又はＲ２の算出に際しては、実施例１と同様に、所定の重みの値を乗算するようにしてもよい。
【０１１８】
以上のように、本実施例の資源開発支援システム１によれば、計画推奨度を、資源の産出のための作業により産出された資源の量に基づき算出するので、ユーザは、資源を産出しようとする領域においてその資源の開発、産出を行う価値があるか否かを、広く公開されている資源の産出量の実績に基づき的確に把握することができる。
【０１１９】
また、本実施例の資源開発支援システム１によれば、計画推奨度を、指標及び資源の量のそれぞれの相対的な重要性を示すパラメータ（計画推奨度重み値）に基づき算出するので、ユーザは、算出された計画推奨度に基づき、例えば、費用対効果の高い資源の開発計画を立案することができる。
【０１２０】
＜＜実施例３＞＞
次に、実施例３に係る資源開発支援システム１について説明する。以下では、実施例１及び実施例２の資源開発支援システム１と異なる点についてのみ説明する。
【０１２１】
まず、本実施例では、資源開発支援装置１０３は、以下の機能を備える。
すなわち、前記開発領域取得部１０４２は、前記資源の開発を行う領域を、前記資源を産出可能な地域における地質の情報（以下、地質情報という）に基づき算出する。
【０１２２】
また、前記開発領域取得部１０４２は、前記資源の開発を行う領域をさらに、前記地質の情報の種類に応じた相対的な重要性を示すパラメータ（以下、近傍重みパラメータという）に基づき算出する。
【０１２３】
なお、地質情報は、例えば、地層からのガンマ線量、地層の密度、掘削にかかる費用、掘削作業の安全性を示す数値等の各種の測定値である。
【０１２４】
また、本実施例では、区画情報１０８は、以下の情報を含む。
＜区画情報１０８＞
図１９は、実施例３に係る区画情報１０８の一例を示す図である。同図に示すように、本実施例における区画情報１０８は、実施例１及び実施例２の区画情報１０８に対して、計測値１８０１の項目が追加されている。
【０１２５】
計測値１８０１には、地質情報が格納される。具体的には、計測値１８０１には、開発区画で実施された地質調査において行われた各計測（ウェルログ等）における測定値（例えば、代表的な測定値）が格納される。同図の例では、開発区画ＩＤが「１」の開発区画における計測のうち「計測Ａ」の測定値は「０．３２」であり、開発区画ＩＤが「１」の開発区画における計測のうち「計測Ｂ」の測定値は「０．１７」である。ここで、代表的な測定値とは、例えば、各測定値の平均値である。
【０１２６】
次に、本実施例では、コマンド待ち画面は、以下の入力欄を備える。
＜コマンド待ち画面１９０１＞
図２０は、実施例３に係るコマンド待ち画面の一例を示す図である。同図に示すように、本実施例におけるコマンド待ち画面１９０１は、実施例１で説明したデータ再読込ボタン１００２及び開発計画推奨ボタン１００４の各入力欄に加えて、入力欄として、近傍重み入力ボックス１９０２を備える。
【０１２７】
近傍重み入力ボックス１９０２は、調査範囲を算出するために使用される重みの値（近傍重みパラメータ）の入力を受け付ける。具体的には、近傍重み入力ボックス１９０２は、第１入力欄１９０３、第２入力欄１９０４、及び第３入力欄１９０５の各入力欄を備える。第１入力欄１９０３は、近傍重みパラメータのうち、距離に関する重みの値（以下、距離重みパラメータという）の入力を受け付ける。第２入力欄１９０４は、近傍重みパラメータのうち、測定値に関する重みの値（以下、測定値重みパラメータという）の入力を受け付ける。第３入力欄１９０５は、近傍重みパラメータのうち、オペレータ入力情報１１０に記憶されている前記の開発予定領域からの上限の距離（例えば、開発予定領域の重心からの上限の距離。以下、上限距離パラメータ）の入力を受け付ける。
【０１２８】
＜計画推奨度演算処理＞
次に、本実施例に係る計画推奨度演算処理について説明する。
まず、図１５のＳ１４０１の処理は実施例１と同様なので説明は省略する。次に、計画推奨度演算部１０５は、Ｓ１４０１で取得したオペレータ入力情報１１０に基づき、所定の条件を満たす開発区画（近傍区画集合Ｓ）を抽出する（Ｓ１４０２）。
【０１２９】
Ｓ１４０２において、計画推奨度演算部１０５は、近傍区画集合Ｓを、区画情報１０８、オペレータ入力情報１１０、及び近傍重みパラメータに基づき抽出する。例えば、本実施例の近傍区画集合Ｓは、
【数２】
2018055524.tif 000004
を満たす、区画位置ｘがｘｉ、区画位置がｙｉである開発区画ｉの集合である。ここで、ｘ０は開発予定領域の区間位置ｘであり、ｙ０は開発予定領域の区間位置ｙであり、Ｗｇは距離重みパラメータであり、Ｗａ、Ｗｂ、…、Ｗｎは測定値重みパラメータであり、Ｍａｉ、Ｍｂｉ、…、Ｍｎｉはそれぞれ開発区画ｉにおける計測Ａ、Ｂ、…、Ｎにおける計測値であり、Ｄ３は上限距離パラメータである。
【０１３０】
以上のようにして算出された開発区画（近傍区画集合Ｓ）に基づき、計画推奨度演算部１０５は、実施例１と同様にして計画推奨度を算出する（Ｓ１４０３）。Ｓ１４０４以降の処理は、実施例１と同様である。
【０１３１】
このように、本実施例の資源開発支援システム１によれば、資源の開発を行う領域を、資源を産出可能な地域における地質の情報に基づき算出するので、ユーザは、資源を開発すべき領域を適切に把握することができる。
【０１３２】
また、本実施例の資源開発支援システム１によれば、資源の開発を行う領域を、地質の情報の種類に応じた相対的な重要性を示すパラメータに基づき算出するので、ユーザは、例えば、資源の開発を行う領域における地質の各特徴に基づき、適切な開発計画を立案することができる。
【０１３３】
＜＜実施例４＞＞
【０１３４】
次に、実施例４に係る資源開発支援システム１について説明する。本実施例の資源開発支援装置１０３は、資源の開発を行うために指定された領域（例えば、開発予定領域）における指標と、他の領域（以下、参照領域という）における指標との間の類似性に基づき、開発予定領域のうち新規に掘削作業を行う坑井の位置を算出し、ユーザに提案する。
【０１３５】
以下では、実施例１乃至実施例３の資源開発支援システム１と異なる点についてのみ説明する。
【０１３６】
まず、本実施例の資源開発支援システム１が備える機能、及びデータベースの構成について説明する。
【０１３７】
図２１は、実施例４に係る資源開発支援システム１の構成の一例を示す図である。同図に示すように、本実施例の端末装置１１１は、開発予定領域情報取得部１１３、参照領域情報取得部１１４、及び開発推奨位置出力部１１５を備える。また、本実施例の資源開発支援装置１０３は、開発推奨位置演算部２００１を備える。また、本実施例のデータベース１０６は、データベース１０６として、追加オペレータ入力情報２００２を備える。
【０１３８】
開発予定領域情報取得部１１３は、前記資源の開発を行う領域（開発予定領域）の指定を受け付け、指定された領域における前記作業領域情報である開発予定領域情報を取得す
る。
【０１３９】
参照領域情報取得部１１４は、他の前記領域（参照領域）を取得し、取得した前記他の領域における前記作業領域情報である参照領域情報を取得する。
【０１４０】
なお、開発予定領域情報、及び参照領域情報は、例えば、端末装置１１１への、ユーザによる入力によって指定される。
【０１４１】
開発推奨位置出力部１１５は、開発推奨位置演算部２００１が算出した作業の位置を出力する。
【０１４２】
また、開発推奨位置演算部２００１は、開発予定領域情報取得部１１３が前記取得した開発予定領域情報に基づき算出した前記指標と、参照領域情報取得部１１４が前記取得した参照位置情報に基づき算出した前記指標との間の類似性に基づき、前記指定された領域のうち前記作業を行う位置（開発推奨位置）を算出する。本実施例では、開発推奨位置は、坑井の位置である。
【０１４３】
次に、追加オペレータ入力情報２００２について説明する。
＜追加オペレータ入力情報２００２＞
図２２は、追加オペレータ入力情報２００２の一例を示す図である。同図に示すように、追加オペレータ入力情報２００２は、開発予定領域における開発区画（以下、開発予定区画という）の開発区画ＩＤ（以下、開発予定区画ＩＤという）が格納される開発予定区画ＩＤ２００３、及び、参照領域における開発区画（以下、参照区画という）の開発区画ＩＤ（以下、参照区画ＩＤという）が格納される参照区画ＩＤ２００４の各項目を含む。なお、開発予定区画ＩＤ、又は参照区画ＩＤはそれぞれ複数存在していてもよい。
【０１４４】
次に、本実施例の資源開発支援処理について説明する。
＜資源開発支援処理＞
図２３、２４は、実施例４に係る資源開発支援処理の一例を説明するフローチャートである（紙面の都合上、同一の処理を２つの図に分けて説明している）。まず、図２３に示すように、Ｓ９０１〜Ｓ９１１の処理はそれぞれ、実施例１の資源開発支援処理のＳ９０１〜Ｓ９１１の処理と同様なので、説明は省略する。
【０１４５】
図２４のＳ２１０１に示すように、Ｓ９１２で結果表示画面１２０１が表示されている状態で、端末装置１１１は、ユーザから、追加オペレータ入力情報２００２の入力を受け付ける画面（以下、手本選択画面という）を、端末装置１１１の画面に表示する。具体的には、手本選択画面は、例えば、結果表示画面１２０１のサマリ表示ボタン１２０６が押下された際に表示される。
【０１４６】
＜手本選択画面２２０１＞
ここで、手本選択画面について説明する。
図２５は、手本選択画面の一例を示す図である。同図に示すように、手本選択画面２２０１は、開発推移サマリ一覧１３０２、及び開発推移サマリ二次元表示ウィンドウ１２０７の各表示欄を備える。開発推移サマリ一覧１３０２、及び開発推移サマリ二次元表示ウィンドウ１２０７は、実施例１の開発推移サマリ表示画面１３０１における開発推移サマリ一覧１３０２、及び開発推移サマリ二次元表示ウィンドウ１２０７と同様なので、説明を省略する。
【０１４７】
また、手本選択画面２２０１は、Ｃｌｏｓｅボタン１３０３、及び手本選択ボタン２２０２の各入力欄を備える。Ｃｌｏｓｅボタン１３０３は、実施例１のＣｌｏｓｅボタン１
３０３と同様なので、説明は省略する。
【０１４８】
手本選択ボタン２２０２は、ユーザからの、参照領域及び開発予定領域の設定を受け付ける。手本選択ボタン２２０２が押下されると、参照領域及び開発予定領域を設定するための画面（以下、追加オペレータ入力画面という）が表示される。
【０１４９】
＜追加オペレータ入力画面２３０１＞
図２６は、追加オペレータ入力画面の一例を示す図である。同図に示すように、追加オペレータ入力画面２３０１は、手本開発区画ＩＤ入力ボックス２３０２、開発予定区画ＩＤ入力ボックス２３０３、新規坑井位置推奨指示ボタン２３０４の各入力欄を備える。
【０１５０】
手本開発区画ＩＤ入力ボックス２３０２には、参照領域とする開発区画の開発区画ＩＤの入力を受け付ける。なお、手本開発区画ＩＤ入力ボックス２３０２には、最初に追加オペレータ入力画面２３０１が表示される場合に、手本選択画面２２０１で、ＵＲやＯＲが表示されていた開発区画の開発区画ＩＤが自動で表示されていてもよいし、手動で表示、変更されるようにしてもよい。
【０１５１】
開発予定区画ＩＤ入力ボックス２３０３は、開発予定領域とする開発区画ＩＤの入力を受け付ける。新規坑井位置推奨指示ボタン２３０４は、開発推奨位置の算出を受け付ける。
【０１５２】
図２４に示すＳ２１０２において、端末装置１１１は、開発推奨位置の算出の指示を受け付けると、追加オペレータ入力画面２３０１で入力された情報を、追加オペレータ入力情報としてデータベース１０６に記憶し、この記憶を完了した旨を、資源開発支援装置１０３に報告する。
【０１５３】
すると、資源開発支援装置１０３は、開発推奨位置演算部２００１に、開発推奨位置の算出を指示する（Ｓ２１０３）。そして、開発推奨位置演算部２００１は、開発推奨位置の算出し、算出した開発推奨位置を端末装置１１１に出力する処理（以下、開発推奨位置算出処理という）を実行する（Ｓ２１０４）。開発推奨位置算出処理の詳細は後述する。
【０１５４】
開発推奨位置演算部２００１は、開発推奨位置算出処理が終了すると、資源開発支援装置１０３に、開発推奨位置算出処理の終了を報告する（Ｓ２１０５）。すると、資源開発支援装置１０３は、端末装置１１１に開発推奨位置の表示を指示する（Ｓ２１０６）。
【０１５５】
端末装置１１１は、前記指示を受信すると、開発推奨位置を表示する（Ｓ２１０７）。以上で、資源開発支援処理は終了する（Ｓ２１０８）。
【０１５６】
ここで、開発推奨位置を表示する画面（以下、新規坑井推奨位置表示画面という）について説明する。
【０１５７】
＜新規坑井推奨位置表示画面２４０１＞
図２７は、新規坑井推奨位置表示画面の一例を示す図である。同図に示すように、新規坑井推奨位置表示画面２４０１は、地図ウィンドウ２４０２、及び開発計画サマリ表示ウィンドウ２４０４の各表示欄を有する。
【０１５８】
地図ウィンドウ２４０２には、産出地域の地図と、その地図上における、開発推奨位置を示す新規坑井掘削推奨位置２４０３とが表示される。なお、地図ウィンドウ２４０２には、既存の坑井の位置が表示されてもよい。
【０１５９】
開発計画サマリ表示ウィンドウ２４０４には、開発区画における坑井の数と、開発区画におけるＵＲ−ＯＲ組とが表示される。
【０１６０】
＜開発推奨位置演算処理＞
ここで、開発推奨位置演算処理の詳細を説明する。
図２８は、開発推奨位置演算処理の一例を説明するフローチャートである。同図に示すように、開発推奨位置演算部２００１は、データベース１０６から追加オペレータ入力情報２００２、及び開発推移サマリ１０７を読み込む（Ｓ２５０１）。
【０１６１】
開発推奨位置演算部２００１は、参照開発区画におけるＵＲ−ＯＲ組の履歴と、開発予定区画におけるＵＲ−ＯＲ組のうち現在時刻に最も近い時刻でのＵＲ−ＯＲ組（以下、最新ＵＲ−ＯＲ組という）とを比較し、現在ＵＲ−ＯＲ組におけるＵＲよりも大きいＵＲを有する、参照開発区画におけるＵＲ−ＯＲ組（以下、適正ＵＲ−ＯＲ組という）が何個存在するかを判断する（Ｓ２５０２）。
【０１６２】
適正ＵＲ−ＯＲ組が少なくとも１つ以上存在する場合は（Ｓ２５０２：ＹＥＳ）、処理はＳ２５０３に進み、適正ＵＲ−ＯＲ組が存在しない場合は（Ｓ２５０２：ＮＯ）、処理はＳ２５０５に進む。
【０１６３】
Ｓ２５０３においては、開発推奨位置演算部２００１は、Ｓ２５０２で特定した適正ＵＲ−ＯＲ組の履歴を、ターゲットＵＲ−ＯＲ履歴として選択する。
【０１６４】
そして、開発推奨位置演算部２００１は、選択した各ターゲットＵＲ−ＯＲ履歴に対応する各坑井の位置を算出する（Ｓ２５０４）。
【０１６５】
具体的には、例えば、まず、開発推奨位置演算部２００１は、坑井の方向を、開発予定区画における代表的な方向に平行な方向に設定する。前記代表的な方向は、例えば、開発予定区画における既存の坑井のそれぞれを線分で近似し、近似したそれぞれの線分の方向の平均の方向である。なお、開発予定区画に既存の坑井が存在しない場合は、開発予定区画の近隣の他の開発区画おける既存の坑井のそれぞれを線分で近似し、近似したそれぞれの線分の方向の平均の方向を、代表的な方向としてもよい。
【０１６６】
また、開発推奨位置演算部２００１は、坑井の長さを、開発予定区画内において前記代表的な方向に直線的に掘削を行った場合に、最も長さが長くなる場合の坑井の長さに設定する。
【０１６７】
そして、開発推奨位置演算部２００１は、前記のように方向及び長さを設定した各坑井を掘削した場合の、開発予定区画における、ＵＲ−ＯＲ組の履歴を算出する。そして開発推奨位置演算部２００１は、算出したＵＲ−ＯＲ組の履歴と、Ｓ２５０３で選択したターゲットＵＲ−ＯＲ履歴のそれぞれとを比較し、ターゲットＵＲ−ＯＲ履歴のうち、前記算出したＵＲ−ＯＲ組の履歴と最もＵＲ−ＯＲ組の履歴が類似するターゲットＵＲ−ＯＲ履歴を選択し、選択したターゲットＵＲ−ＯＲ履歴に対応する掘削作業の位置（又はその履歴）を、開発推奨位置として算出する。
【０１６８】
以上で、開発推奨位置演算処理は終了する（Ｓ２５０６）。
【０１６９】
一方、Ｓ２５０５においては、開発推奨位置演算部は、異なる参照開発区画を選択するための追加オペレータ入力画面２００２を出力する処理を繰り返すべく、開発推奨位置演算処理を終了する（Ｓ２５０５、Ｓ２５０６）。
【０１７０】
以上のように、本実施例の資源開発支援システム１によれば、開発予定領域情報に基づき算出した指標と、参照位置情報に基づき算出した指標との間の類似性に基づき、指定された領域のうち作業を行う位置（開発推奨位置）を算出し、算出した作業の位置を出力するので、他の資源の開発領域（開発区画）で行われている開発の進捗状況に基づき、資源の開発、算出のための作業を適切な位置で行うことができる。
【０１７１】
以上、各実施例について説明したが、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１７２】
例えば、上記の各実施例では、開発を行う資源として石油を例示したが、本発明に適用できる資源はこれに限らず、例えば、石炭、天然ガス、各種鉱物等の地下資源、地下水等の水資源、魚類等の水産資源を含む天然資源に適用可能である。
【０１７３】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、また
は、ＩＣカード、ＳＤカード、ＤＶＤ等の記録媒体に置くことができる。
【０１７４】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１７５】
１  資源開発支援システム、１０３  資源開発支援装置、１０４１  産出履歴記憶部、１０４２  開発領域取得部、１０５  計画推奨度演算部、１１２  計画推奨度出力部
【図１】
2018055524.tif 000005
【図２】
2018055524.tif 000006
【図３】
2018055524.tif 000007
【図４】
2018055524.tif 000008
【図５】
2018055524.tif 000009
【図６】
2018055524.tif 000010
【図７】
2018055524.tif 000011
【図８】
2018055524.tif 000012
【図９】
2018055524.tif 000013
【図１０】
2018055524.tif 000014
【図１１】
2018055524.tif 000015
【図１２】
2018055524.tif 000016
【図１３】
2018055524.tif 000017
【図１４】
2018055524.tif 000018
【図１５】
2018055524.tif 000019
【図１６】
2018055524.tif 000020
【図１７】
2018055524.tif 000021
【図１８】
2018055524.tif 000022
【図１９】
2018055524.tif 000023
【図２０】
2018055524.tif 000024
【図２１】
2018055524.tif 000025
【図２２】
2018055524.tif 000026
【図２３】
2018055524.tif 000027
【図２４】
2018055524.tif 000028
【図２５】
2018055524.tif 000029
【図２６】
2018055524.tif 000030
【図２７】
2018055524.tif 000031
【図２８】
2018055524.tif 000032